(57)【要約】本発明は、同期式移動通信網と非同期式移動通信網で円滑なローミングおよび通話切断解消のためのデュアルバンド／デュアルモードを支援する移動通信端末のハンドオーバ方法に関し、電源投入時のメインプロセッサが初期接続移動通信網を非同期移動通信網に設定して接続する１ステップと；前記非同期移動通信網の信号の強さが予め設定された所定値以下になれば、前記同期無線装置を活性化して、同期移動通信網と接続設定を行う２ステップと；前記非同期無線装置を介して受信される非同期移動通信網の信号の強さがハンドオーバのために予め設定された基準値以下であるかを判断する３ステップと；前記３ステップで非同期移動通信網の信号の強さが前記基準値以下と判断すれば、前記２ステップで設定した同期移動通信網との接続を活性化する４ステップと；前記４ステップ後に非同期移動通信網との接続を解除する５ステップと；を含むことによって、非同期移動通信網と同期移動通信網との間の円滑なハンドオーバを行うことができ、通話切断が解消されるという効果がある。
2008537432.tif 000002
【特許請求の範囲】
【請求項１】
非同期移動通信網および同期移動通信網との電波送受信のためのアンテナと、前記アンテナを介して前記非同期移動通信網と非同期通信を行うための非同期無線装置と、前記アンテナを介して前記同期移動通信網と同期通信を行うための同期無線装置と、前記同期および非同期無線装置を介して前記同期／非同期移動通信網との無線通信時に制御を行うメインプロセッサおよび共通するリソースを提供するための共通モジュールを備え、非同期移動通信網と同期移動通信網との無線通信を行うことができる移動通信端末のハンドオーバ方法あって、
電源投入時に前記メインプロセッサが初期接続移動通信網を非同期移動通信網に設定し接続する第１ステップと；
前記非同期移動通信網の信号の強さが予め設定された所定値以下になれば、前記同期無線装置を活性化して同期移動通信網と接続設定を行う第２ステップと；
前記非同期無線装置を介して受信される非同期移動通信網の信号の強さがハンドオーバのために予め設定された基準値以下であるかを判断する第３ステップと；
前記第３ステップで非同期移動通信網の信号の強さが前記基準値以下であると判断すれば、前記２ステップで設定した同期移動通信網との接続を活性化する第４ステップと；
前記４ステップ後に非同期移動通信網との接続を解除する第５ステップと；を含むことを特徴とする、デュアルバンド／デュアルモードを支援する移動通信端末のハンドオーバ方法。
【請求項２】
前記第１ステップは、
電源投入時に前記メインプロセッサが前記非同期無線装置を活性化する非同期活性化ステップと；前記メインプロセッサが前記非同期無線装置を介して非同期移動通信網に接続要請を行う接続要請ステップと；非同期移動通信網が前記接続要請にともなう位置登録を非同期移動通信網のホーム位置登録機で行い、その応答を移動通信端末に伝送する接続実行ステップと；前記接続実行ステップにおける応答を移動通信端末が受信して接続設定完了メッセージを移動通信網に伝送して応答を受信する接続完了ステップと；を含むこと特徴とする、請求項１に記載のデュアルバンド／デュアルモードを支援する移動通信端末のハンドオーバ方法。
【請求項３】
前記接続実行ステップにおける応答メッセージは、同期移動通信網へのハンドオーバが可能であることを知らせる情報を含むことを特徴とする、請求項２に記載のデュアルバンド／デュアルモードを支援する移動通信端末のハンドオーバ方法。
【請求項４】
前記接続完了ステップは、前記接続実行ステップにおける同期移動通信網へのハンドオーバ可能情報により前記同期無線装置の情報を前記接続設定完了メッセージに含めることを特徴とする、請求項３に記載のデュアルバンド／デュアルモードを支援する移動通信端末のハンドオーバ方法。
【請求項５】
前記接続完了ステップは、前記接続設定完了メッセージに含まれた前記同期無線装置の情報を非同期移動通信網のホーム位置登録機に格納するステップと、前記非同期移動通信網のホーム位置登録機が前記同期無線装置の情報を同期網のホーム位置登録機に伝達／登録するステップと；を含むことを特称とする、請求項４に記載のデュアルバンド／デュアルモードを支援する移動通信端末のハンドオーバ方法。
【請求項６】
前記第１ステップは、前記接続完了ステップ後に現在完了した接続設定確認情報を移動通信端末が非同期移動通信網に伝送するステップと、前記非同期移動通信網が前記接続設定確認情報を受信して承認するメッセージを前記移動通信端末に回答するステップと；を含むことを特徴とする、請求項２に記載のデュアルバンド／デュアルモードを支援する移動通信端末のハンドオーバ方法。
【請求項７】
前記第２ステップは、同期無線装置を活性化するステップと、前記同期無線装置を介して同期移動通信網と接続設定を行うステップと、前記接続設定により同期ホーム位置登録機に移動通信端末の位置登録を行うステップと；を含むことを特徴とする、請求項１に記載のデュアルバンド／デュアルモードを支援する移動通信端末のハンドオーバ方法。
【請求項８】
前記５ステップは、非同期移動通信網との接続を解除した後非同期無線装置のパーキング設定するステップ；を含むことを特徴とする、請求項１に記載のデュアルバンド／デュアルモードを支援する移動通信端末のハンドオーバ方法。
【請求項９】
非同期移動通信網と同期移動通信網とが混在した移動通信網において、非同期モデム部および同期モデム部を備えるデュアルバンドデュアルモード移動通信端末のハンドオーバ方法であって、
前記非同期移動通信網と接続されて通話状態にある移動通信端末が前記同期移動通信網側に移動して、ハンドオーバイベントが発生するにともない、前記非同期移動通信網が前記同期移動通信網に接続切り替えを要請するステップと；
前記移動通信網の交換機が基地局にハンドオーバを要請するステップと；
前記基地局が前記移動通信端末の同期モデム部と前方向チャネル割当を行うステップと；
前記同期移動通信網の交換機が前記非同期移動通信網に前記接続切り替え要請に対する応答信号を伝送するステップと；
前記非同期移動通信網が前記移動通信端末の非同期モデム部にチャネル割当情報を含むハンドオーバ指示メッセージを伝送するステップと；
前記移動通信端末の非同期モデム部が前記同期モデム部に前記チャネル割当情報を伝送するステップと；
前記同期モデム部が通信準備過程を行って前記非同期モデム部と同期モデム部間にモード切り替えがなされるステップと；
前記同期モデム部と前記同期移動通信網との間に逆方向チャネル割当がなされて接続が完了するステップと；
前記同期移動通信網が前記非同期移動通信網に非同期モデム部との呼解除を要請するステップと；
を含む、デュアルバンド／デュアルモードを支援する移動通信端末のハンドオーバ方法。
【請求項１０】
前記非同期移動通信網が前記同期移動通信網に接続切り替えを要請するステップにおいて、前記移動通信端末の識別番号を伝送することを特徴とする、請求項９に記載のデュアルバンド／デュアルモードを支援する移動通信端末のハンドオーバ方法。
【請求項１１】
前記ハンドオーバ指示メッセージは、前記同期移動通信網のハンドオーバメッセージを含むことを特徴とする、請求項９に記載のデュアルバンド／デュアルモードを支援する移動通信端末のハンドオーバ方法。
【請求項１２】
前記同期モデム部の通信準備過程は、
前記同期モデム部のスイッチ−オンおよびワーム−アップを行うステップと；
前記同期移動通信網からパイロットチャネルおよび同期チャネルを獲得するステップと；
前記同期モデム部が遊休状態に遷移するステップと；
前記遊休状態の同期モデム部がトラフィック状態に遷移するステップと；
を含むことを特徴とする、請求項９に記載のデュアルバンド／デュアルモードを支援する移動通信端末のハンドオーバ方法。
【請求項１３】
前記移動通信端末が前記非同期移動通信網と接続して通話を行う前、前記移動通信端末は前記非同期移動通信網に位置登録を行い、
前記位置登録時に前記非同期移動通信網から同期移動通信網へのハンドオーバが可能であることを通報され、前記移動通信端末が前記非同期移動通信網に端末機情報を伝送するステップをさらに含むことを特徴とする、請求項９に記載のデュアルバンド／デュアルモードを支援する移動通信端末のハンドオーバ方法。
【発明の詳細な説明】
【技術分野】
【０００１】
本発明は、デュアルバンド／デュアルモードを支援する移動通信端末のハンドオーバ方法に関し、詳細には、非同期移動通信網との接続を維持した状態で、同期モデム部と同期移動通信網との間の接続を完了した後、非同期移動通信網との接続を終了することによって、同期式移動通信網と非同期式移動通信網において円滑なローミングを可能にすると共に、通話中の移動通信端末のハンドオーバ時に通話切断現象を解決することができるようにしたデュアルバンド／デュアルモードを支援する移動通信端末のハンドオーバ方法に関するものである。
【背景技術】
【０００２】
現在移動通信サービス技術は、ヨーロッパを中心とする非同期サービス環境と北米を中心とする同期サービスに大きく分類される。また、高速でパケットを伝達するための新しい移動通信技術標準としてＩＭＴ−２０００サービスを北米、ヨーロッパを中心に各々発展させている。
【０００３】
同期式ＩＭＴ−２０００サービスは、ＣＤＭＡ２０００  １ｘ、ＣＤＭＡ２０００  １ｘＥＶ−ＤＯにサービス形態が発展しており、非同期式ＩＭＴ−２０００サービスは、ＷＣＤＭＡ  ＵＭＴＳサービスに発展している。このような環境で、同期式と非同期式移動通信網との間のグローバルローミングを支援するために同期方式システムと非同期方式のシステムでどちらも使用が可能なデュアルバンド／デュアルモード移動通信端末（Ｄｕａｌ  Ｂａｎｄ  Ｄｕａｌ  Ｍｏｄｅ  Ｔｅｒｎｌｉｎａｌ；ＤＢＤＭ移動通信端末）が開発され、このような移動通信端末を用いることによって、非同期方式システム領域および同期方式システム領域の各々でそれぞれ異なった方式のサービスを用いることができる。
【０００４】
現在、非同期移動通信網はサービス要求の多い地域を中心に構築中にあり、これにより、同期方式の移動通信網はそのサービス領域が非同期方式システムのサービス領域を含む形態に進化するようになり、このような過程でユーザが非同期移動通信網と同期移動通信網間を相互移動する場合、連続的なサービス提供のためにシステム間のハンドオーバが必要になる。
【０００５】
ところで、現在の非同期移動通信網と同期移動通信網との間のハンドオーバ時には現在接続状態にある移動通信網との通信を中断して他の移動通信網と接続する方式でハンドオーバが行われているが、この場合のハンドオーバ時間が多く必要となり（数百ｍｓｅｃ）、これにより、短時間ではない通話切断が発生し、サービス品質が低下するという短所がある。
【発明の開示】
【発明が解決しようとする課題】
【０００６】
よって、上記のような問題点を解決するために、本発明は、同期式移動通信網と非同期式移動通信網において円滑なローミングが可能なようにし、特に非同期移動通信網と同期移動通信網との間のハンドオーバ時の通信切断現象を防止することができるようにするデュアルバンド／デュアルモードを支援する移動通信端末のハンドオーバ方法を提供することにその目的がある。
【課題を解決するための手段】
【０００７】
上記のような目的を達成するための本発明に係るデュアルバンド／デュアルモードを支援する移動通信端末のハンドオーバ方法は、非同期移動通信網および同期移動通信網との電波送受信のためのアンテナと、前記アンテナを介して前記非同期移動通信網と非同期通信を行うための非同期無線装置と、前記アンテナを介して前記同期移動通信網と同期通信を行うための同期無線装置と、前記同期および非同期無線装置を介して前記同期／非同期移動通信網との無線通信時の制御を行うメインプロセッサおよび共通するリソースを提供するための共通モジュールを備え、非同期移動通信網と同期移動通信網との無線通信を行える移動通信端末のハンドオーバ方法であって、電源投入時の前記メインプロセッサが初期接続移動通信網を非同期移動通信網に設定して接続する第１ステップと；前記非同期移動通信網の信号の強さが予め設定された所定値以下になれば、前記同期無線装置を活性化し、同期移動通信網と接続設定を行う第２ステップと；前記非同期無線装置を介して受信される非同期移動通信網の信号の強さがハンドオーバのために予め設定された基準値以下であるかを判断する第３ステップと；前記３ステップで非同期移動通信網の信号の強さが前記基準値以下と判断すれば、前記２ステップで設定した同期移動通信網との接続を活性化する第４ステップと；前記４ステップ後に非同期移動通信網との接続を解除する第５ステップと；を含むことを特徴とする。
【０００８】
また、上記のような目的を達成するための本発明に係るデュアルバンド／デュアルモードを支援する移動通信端末のハンドオーバ方法は、非同期移動通信網と同期移動通信網とが混在した移動通信網で、非同期モデム部および同期モデム部を備えるデュアルバンドデュアルモード移動通信端末のハンドオーバ方法であって、前記非同期移動通信網と接続されて通話状態にある移動通信端末が前記同期移動通信網側に移動して、ハンドオーバイベントが発生することによって、前記非同期移動通信網が前記同期移動通信網に接続切り替えを要請するステップと；前記移動通信網の交換機が基地局にハンドオーバを要請するステップと；前記基地局が前記移動通信端末の同期モデム部と前方向チャネル割当を行うステップと；前記同期移動通信網の交換機が前記非同期移動通信網に前記接続切り替え要請に対する応答信号を伝送するステップと；前記非同期移動通信網が前記移動通信端末の非同期モデム部にチャネル割当情報を含むハンドオーバ指示メッセージを伝送するステップと；前記移動通信端末の非同期モデム部が前記同期モデム部に前記チャネル割当情報を伝送するステップと；前記同期モデム部が通信準備過程を行って前記非同期モデム部と同期モデム部との間にモード切り替えがなされるステップと；前記同期モデム部と前記同期移動通信網との間に逆方向チャネル割当がなされて接続が完了するステップと；前記同期移動通信網が前記非同期移動通信網に非同期モデム部との呼解除を要請するステップと；を含むことを特徴とする。
【発明を実施するための最良の形態】
【０００９】
以下では、添付した図面を参照して、本発明を詳しく説明することにする。
【００１０】
図１は、本発明に係る同期および非同期移動通信網の構成を説明するためのブロック図である。
【００１１】
図１を参照すれば、非同期網のＷＣＤＭＡ網１００は、移動通信端末４００と無線通信を行う無線局１０１および前記無線局１０１を制御する無線局制御機（以下「ＲＮＣ」と称する）１０２と、前記ＲＮＣ１０２と接続されて移動通信端末４００の移動性を管理するサービングＧＰＲＳサービスノード（Ｓｅｒｖｉｎｇ  ＧＰＲＳ  Ｓｅｒｖｉｃｅ  Ｎｏｄｅ、以下「ＳＧＳＮ」と称する）１０３と、ＧＰＲＳ網１０５を介して前記パケットサービス制御およびパケットデータ伝送を行う中継装置である非同期通信網データサービス関門ノード（Ｇａｔｅｗａｙ  ＧＰＲＳ  Ｓｕｐｐｏｒｔｉｎｇ  Ｎｏｄｅ、以下「ＧＧＳＮ」と称する）１０６を含む。
【００１２】
また、前記ＲＮＣ１０２には呼交換を行う交換機（以下「ＭＳＣ」と称する）１０４が接続され、前記ＭＳＣ１０４は信号交換のためのナンバーセブン信号網（ＮＯ．７信号網）１０７と接続される。前記ナンバーセブン信号網１０７には短文メッセージをサービスする短文メッセージサービスセンタ（以下「ＳＭＳＣ」と称する）１０８と、加入者の位置情報を管理するためのホーム位置登録機（以下「ＨＬＲ」と称する）１１０が接続される。
【００１３】
一方、同期網のＣＤＭＡ２０００網２００は、移動通信端末４００と無線通信を行う基地局（以下「ＢＴＳ」と称する）２０１と、前記ＢＴＳ２０１を制御する基地局制御機（以下「ＢＳＣ」と称する）２０２と、前記ＢＳＣ２０２と接続されてパケットデータサービスを提供するパケットデータサービスノード（Ｐａｃｋｅｔ  Ｄａｔａ  Ｓｅｒｖｉｃｅ  Ｎｏｄｅ、以下「ＰＤＳＮ」と称する）２０４と前記ＰＤＳＮ２０４に接続されてインターネット接続サービスを行うデータコアネットワーク（Ｄａｔａ  Ｃｏｒｅ  Ｎｅｔｗｏｒｋ、以下「ＤＣＮ」と称する）２０９と、前記ＢＳＣ２０２と接続され、交換を行う交換機（以下「ＭＳＣ」と称する）２０３とを含んで構成される。
【００１４】
前記ＭＳＣ２０３は信号交換のためのナンバーセブン信号網（Ｎｏ．７信号網）２０５と接続される。前記ナンバーセブン信号網２０５には短文メッセージをサービスする短文メッセージサービスセンタ（以下「ＳＭＳＣ」と称する）２０６と、加入者の位置情報を管理するためのホーム位置登録機（以下「ＨＬＲ」と称する）２０８が接続される。
【００１５】
本実施形態において、前記同期網２００および非同期網１００は、各々加入者情報と位置情報とを管理するためのＨＬＲ１１０，２０８を備えているが、１つのＨＬＲ（デュアルスタックホーム位置登録機）を用いて同期網２００および非同期網１００の加入者情報および位置情報を共有するようにすることもできる。
【００１６】
上記のような移動通信網で、本発明の移動通信端末４００は非同期網１００と同期網２００との間に相互接続され、２つのシステムの信号処理状況を伝送して処理する。
【００１７】
図２は、本発明に係るデュアルバンド移動通信端末の構成を説明するためのブロック図である。
【００１８】
図２を参照すれば、本発明に係るデュアルバンド移動通信端末４００は、同期式移動通信と非同期式移動通信のいずれも支援するものとして、それぞれのプロトコルスタックを有するようになる。
【００１９】
このような本発明に係る移動通信端末４００は、大きく分けて同期移動通信網２００および非同期移動通信網１００との電波送受信のためのアンテナ４１０と、同期式通信のための同期無線装置４３０と、非同期式通信のための非同期無線装置４２０と、同期式および非同期式通信時の共通するリソースを提供するための共通モジュール４４０とを含む。
【００２０】
前記同期無線装置４３０は、送受信電波を定められた周波数帯域に分離する同期無線送信部４３２および同期無線受信部４３３と、同期移動通信網との無線区間プロトコルを処理する同期モデム部４３４とを含み、前記同期無線送信部４３２および同期無線受信部４３３の一側は、それぞれの周波数を区分して処理するバンドパスフィルタとして動作するデュプレクサ４３１を介してアンテナ４１０と接続されて、他側は前記同期モデム部４３４と接続される。
【００２１】
また、非同期無線装置４２０もまた送受信電波を定めた周波数帯域に分離する非同期無線送信部４２２および非同期無線受信部４２３と、非同期移動通信網との無線区間プロトコルを処理する非同期モデム部４２４とを含み、前記非同期無線送信部４２２および非同期無線受信部４２３の一側は、それぞれの周波数を区分して処理するバンドパスフィルタとして動作するデュプレクサ４２１を介してアンテナ４１０と接続され、他側は非同期モデム部４２４と接続される。
【００２２】
上記において、アンテナ４１０は同期移動通信サービスのための周波数帯域と非同期移動通信サービスのための周波数帯域を同時に処理可能である。そして、共通モジュール４４０は同期モデム部４３４および非同期モデム部４２４を制御するための中央処理装置として動作し、マルチメディア機能を行うアプリケーションプロセッサ、メモリ、入出力部、その他応用処理部などを含む。
【００２３】
また、本発明の移動通信端末４００には、ユーザインターフェース、付加サービス、移動性管理、接続／セッション制御、リソース制御、プロトコル処理のためのソフトウェアが搭載され、ユーザが各種応用サービスを用いることができるようにし、ハンドオーバを行い、移動通信網に合うようにプロトコル変換を行う。
【００２４】
図３は、本発明に係る移動通信端末の共通モジュールの構成を説明するためのブロック図である。
【００２５】
図３を参照すれば、本発明に係る移動通信端末の共通モジュール４４０は、前記同期無線装置４３０および非同期無線装置４２０の各モデム部４２４，４３４と接続される複数のデュアルポートラム（Ｄｕａｌ  Ｐｏｒｔ  ＲＡＭ、以下「ＤＰＲＡＭ」と称する）４４１，４４２と、前記ＤＰＲＡＭ４４１，４４２と接続されて移動通信端末４００の同期および非同期通信の全般的な制御とアプリケーションの実行を行うメインプロセッサ４４３を含む。前記メインプロセッサ４４３にはデータ格納のためのメモリ４４４と、周辺装置の接続のためのＩ／Ｏ装置４４５および電力制御のための電力制御モジュール（以下「ＰＷＭ」と称する）４４６が接続される。
【００２６】
図４は、本発明の一実施形態に係る非同期移動通信網と同期移動通信網の領域に係る移動通信端末のハンドオーバを説明するための説明図である。
【００２７】
１つの移動通信網で、ハンドオーバ（またはハンドオフ）は移動通信端末が移動通信網のある１つのセルから他のセルに移動する場合にユーザが通話の切断なく通信することができるようにする技術を意味する。
【００２８】
図４を参照すれば、本発明は非同期移動通信網１００と同期移動通信網２００が混在した網におけるＤＢＤＭ移動通信端末４００のハンドオーバ方法を提供する。本実施形態において非同期移動通信網１００の領域は同期移動通信網２００の領域内に含まれる。
【００２９】
本発明において、非同期移動通信網１００の領域では同期無線装置（ＣＤＭＡ２０００）４３０がパーキングモードに設定され、非同期無線装置（ＷＣＤＭＡ）４２０は活性化状態に設定される。また、同期移動通信網２００の領域では非同期無線装置（ＶＣＤＭＡ）４２０はパーキングモードに設定され、同期無線装置（ＣＤＭＡ２０００）４３０は活性化状態に設定される。
【００３０】
図５は、本発明の一実施形態に係る移動通信端末の初期起動による接続過程を説明するためのフローチャートである。
【００３１】
図５を参照すれば、本発明に係る移動通信端末は、初期電源が投入（Ｓ１０）されればメインプロセッサ４４３は優先的に非同期通信を選択する。このためにメインプロセッサ４４３は非同期無線装置４２０を活性化させ（Ｓ２０）、同期無線装置４３０をパーキングモードに設定する（Ｓ３０）。
【００３２】
ステップＳ２０およびＳ３０において、メインプロセッサ４４３は非同期無線装置４２０を活性化状態に設定し、同期無線装置４３０をパーキングさせた後に非同期移動通信網１００に接続要請を行う（Ｓ４０）。
【００３３】
ステップＳ４０で非同期移動通信網１００では前記接続要請により非同期ＨＬＲ１１０に位置登録を要請して（Ｓ５１）、非同期ＨＬＲ１１０は位置登録にともなう応答を返信する（Ｓ５２）。
【００３４】
非同期移動通信網１００は、前記接続要請にともなう応答メッセージを移動通信端末４００に伝送する（Ｓ６０）。この時、応答メッセージには現在非同期移動通信網１００が同期移動通信網２００へのハンドオーバが可能であることを知らせる情報を含む。
【００３５】
移動通信端末４００のメインプロセッサ４４３は、非同期無線装置４２０を介して前記ステップＳ６０における応答を受信した後、接続設定が完了したことを知らせるメッセージを非同期移動通信網に伝送する（Ｓ７１）。この時、メッセージには移動通信端末が同期移動通信網に接続できる同期無線装置４３０の情報を含む。
【００３６】
非同期移動通信網１００は、前記ステップＳ７１におけるメッセージを受信した後、非同期ＨＬＲ１１０に前記移動通信端末の同期無線装置４３０の情報を格納（Ｓ７２）する。この時、非同期ＨＬＲ１１０は、前記ステップＳ７２における情報を同期移動通信網のＨＬＲ２０８に伝送し（Ｓ７３）、同期ＨＬＲ２０８は、非同期ＨＬＲ１１０から伝送される情報を格納（Ｓ７４）することによってハンドオーバに備える。
【００３７】
そして、非同期移動通信網１００はステップＳ７１にともなう応答メッセージを移動通信端末４００に伝送する（Ｓ８０）。
【００３８】
これにより、移動通信端末４００と非同期移動通信網１００との接続設定が完了するが、移動通信端末４００は接続設定を確認するために、現在接続設定確認情報を含むメッセージを非同期移動通信網１００に伝送する（Ｓ９０）。
【００３９】
これにより、非同期移動通信網１００は、前記接続設定確認情報を承認するメッセージを移動通信端末４００に伝送（Ｓ１００）することによって、すべての接続設定が完了する。
【００４０】
図６は、本発明に係る移動通信端末の非同期通信網から同期通信網へのハンドオーバを説明するための概略的なグラフである。
【００４１】
図６は、移動通信端末４００が非同期移動通信網１００に接続した後、非同期移動通信網１００の領域を脱して同期移動通信網２００の領域に進入する過程を説明したものであるが、図面に示したΔＲは、非同期移動通信網１００の領域と同期移動通信網２００の領域が重なる区間を示す。
【００４２】
図面に示すように、領域が重なる区間であるΔＲにおいて非同期移動通信網の信号が所定値（Ｖ１）以下に低くなる状態で同期移動通信網の信号を受信すれば、移動通信端末４００は現在パーキングされている同期無線装置４３０を活性化させるが、この時は非同期／同期無線装置４２０，４３０のいずれもが活性化状態となる。
【００４３】
前記活性化後に非同期移動通信網の信号の強さがハンドオーバのために予め設定された基準値（Ｖ２）以下になれば、移動通信端末は同期移動通信網にハンドオーバを行って移動通信端末は活性化している非同期無線装置４２０をパーキングするように制御する、
【００４４】
図７は、図６にともなうハンドオーバを説明するためのフローチャートである。
【００４５】
図７を参照すれば、移動通信端末４００が非同期移動通信網１００の領域に位置するようになれば、メインプロセッサ４４３は非同期無線装置４２０を活性化させて同期無線装置４３０はパーキングモードに設定する（Ｓ１１０）。
【００４６】
そして、移動通信端末４００のメインプロセッサ４４３は、非同期移動通信網１００の信号が所定値（Ｖ１）以下に低下するかを判断する（Ｓ１２０）。
【００４７】
前記ステップＳ１２０において、非同期移動通信網２００の信号が所定値以下に低下したと判断すれば、移動通信端末４００が非同期移動通信網１００の領域から同期移動通信網２００の領域に移動すると判断してメインプロセッサ４４３はパーキングモードの同期無線装置４３０を活性化して同期移動通信網２００と接続設定を行う（Ｓ１４１）。これにより、同期移動通信網２００の同期ＨＬＲ２０８への位置登録が発生する（Ｓ１４２）。この時、同期ＨＬＲ２０８は、図５に示したステップＳ７４で格納した情報に基づいて移動通信端末４００のハンドオーバ情報を参照する。
【００４８】
そして、移動通信端末４００は、非同期無線装置４２０を介して受信される非同期移動通信網１００の信号がハンドオーバのために予め設定された基準値（Ｖ２）以下であるかを判断する（Ｓ１５０）。
【００４９】
ステップＳ１５０において、非同期移動通信網１００の信号が予め設定された基準値（Ｖ２）以下と判断すれば、ステップＳ１４１で設定した同期移動通信網２００との接続を活性化させる（Ｓ１６０）。
【００５０】
そして、非同期移動通信網との現在接続を解除して（Ｓ１７０）、非同期無線装置４２０をパーキングモードに制御（Ｓ１８０）することによって、非同期移動通信網から同期移動通信網へのハンドオーバが完了する。
【００５１】
前記過程で説明した非同期ＨＬＲ１１０と同期ＨＬＲ２０８は１つのＨＬＲ、すなわち１つのデュアルスタックホーム位置登録機で実現することもできる。
【００５２】
図８は、本発明の他の実施形態に係るハンドオーバ方法を説明するためのフローチャートであって、特に、移動通信端末４００が非同期移動通信網１００と接続されて通話をしている状態で、移動通信端末４００が同期領域に移動する場合に移動通信端末４００の同期無線装置４３０をトラフィック状態に切り替えることによってハンドオーバする場合を示す。
【００５３】
先ず、移動通信端末４００の非同期モジュール１２０が活性化して、非同期モデム部４２４と非同期移動通信網１００が接続されて通話をしている状態で（Ｓ２０１）、移動通信端末が同期領域に移動し、ハンドオーバ条件を満足するようになれば、非同期移動通信網１００は同期移動通信網２００のコア網に移動通信端末４００の接続環境を切り替えることを要請する（Relocation Required, Ｓ２０２）。この時、移動通信端末４００の識別番号を共に伝送し、コア網はＩＳ−４１に定義されたＭＡＰ（Ｍｏｂｉ１ｅ  Ａｐｐｌｉｃａｔｉｏｎ  Ｐａｒｔ）メッセージを用いて交換機（ＭＳＣ）にハンドオフを要請する（ＦＡＣＤＩＲ２、Ｓ２０３）。
【００５４】
これにより、交換機（ＭＳＣ）は基地局（ＢＴＳ）にハンドオフを要請して（Ｈａｎｄｏｆｆ  Ｒｅｑｕｅｓｔ）、基地局（ＢＴＳ）が交換機（ＭＳＣ）に応答信号(Handoff Req Ack)を伝送した後（Ｓ２０４，Ｓ２０５）、移動通信端末４００の同期モジュール１２０に含まれた同期モデム部４３４に前方向トラフィック伝送のための前方向基本チャネル（Ｆｏｒｗａｒｄ  Ｆｕｎｄａｍｅｎｔａｌ  Ｃｈａｎｎｅｌ；Ｆ−ＦＣＨ）を介してヌル（ＮＵＬＬ）フレームを伝送（null F-FCH frames, Ｓ２０６）することによって、前方向チャネルが割り当てられるようになる。このように、同期移動通信網２００でハンドオーバの準備が完了すれば、同期移動通信網２００の交換機（ＭＳＣ）はコア網を介して非同期移動通信網１００に接続切り替え要請に対する応答信号(facdir2, Relocation Command)を伝送する（Ｓ２０７，Ｓ２０８）。
【００５５】
以後、非同期移動通信網１００は、移動通信端末４００の非同期モデム部４２４にハンドオーバを指示するが（HANDOVER FROM UTRAN COMMAND, Ｓ２０９）、このメッセージには同期移動通信網関連のメッセージが含まれ、特にチャネル割当のための情報が含まれるようになる。チャネル割当情報(channel assignment)は、非同期モデム部４２４から同期モデム部４３４に伝送され、同期モデム部４３４がハンドオーバを予め準備できるようにする（Ｓ２１０）。また、非同期移動通信網１００が非同期モデム部４２４にハンドオーバを指示するステップ（Ｓ２０９）で同期移動通信網２００のハンドオーバメッセージ(Universal handoff direction message)を共に伝送してハンドオーバが進められるようにする。
【００５６】
このように、同期モデム部４３４がチャネル割当メッセージおよびハンドオーバメッセージを受信することによって同期無線装置４３０が同期移動通信網２００との通信準備過程を行い（Ｓ２１１）、通信準備過程が完了すればこれを非同期モデム部４２４に通報する（call connected, Ｓ２１２）。
【００５７】
移動通信端末４００の同期無線装置４３０が同期移動通信網との通信準備を完了すれば、非同期モデム部４２４と同期モデム部４３４との間にモード切り替えがなされ（Ｓ２１３）、同期モデム部４３４が同期移動通信網の基地局（ＢＴＳ）に逆方向基本チャネル（Ｒｅｖｅｒｓｅ  Ｆｕｎｄａｍｅｎｔａｌ  Ｃｈａｎｎｅｌ；Ｒ−ＦＣＨ）を介してフレームを伝送し（R-FCH frames, Ｓ２１４）、これにより、移動通信端末４００と同期移動通信網２００との間に接続がなされる（Ｓ２１５）。
【００５８】
以後、基地局（ＢＴＳ）は交換機（ＭＳＣ）を介してコア網にハンドオフを完了したことを通報（Handoff Complete, ＭＳＯＮＣＨ）し（Ｓ２１６，Ｓ２１７）、コア網は非同期移動通信網１００に非同期モデム部４２４との呼を解除することを要請する（Iu Release Command, Ｓ２１８）。これにより、非同期移動通信網１００が非同期モデム部４２４との接続を終了して、呼の解除が完了したことをコア網に報告(Uu Rel. Complete)することによって（Ｓ２１９）、非同期移動通信網１００から同期移動通信網２００へのハンドオーバが完了するようになる。
【００５９】
図９は、図８に示した同期モデム部における通信準備過程の詳細フローチャートである。非同期モデム部４２４からチャネル割当情報を受信した同期モデム部４３４は、スイッチオンおよびワームアップ過程を介して活性化し（Ｓ３０１）、パイロットチャネルおよび同期チャネルを獲得する（Ｓ３０２，Ｓ３０３）。パイロットチャネルを獲得することによって、同期移動通信網の基地局と端末機間の同期化がなされ、同期チャネルを獲得することによってタイミング情報、その他のシステム情報などを基地局から受信することになる。
【００６０】
これにより、移動通信端末４００の同期無線装置４３０が遊休状態を経てトラフィック状態に遷移するようになり（Ｓ３０４，Ｓ３０５）、同期移動通信網２００と接続がなされるようになっている。
【産業上の利用可能性】
【００６１】
上記のように、本発明に係るデュアルバンド／デュアルモードを支援する移動通信端末のハンドオーバ方法によれば、デュアルバンド／デュアルモード移動通信端末を用いて、非同期移動通信網と同期移動通信網とが混在した移動通信網から初期電源投入時の非同期移動通信網に初期接続して、非同期移動通信網と同期移動通信網との間の円滑なハンドオーバを行うことができ、デュアルバンドデュアルモード移動通信端末のハンドオーバ時に既に接続中の移動通信網との接続を維持した状態でハンドオーバする移動通信網との接続を完了した後、既に接続中の移動通信網との接続を終了することによってハンドオーバ時の通話切断現象を防止することができ、これにより、サービスの品質を向上させることができるようになる。
【図面の簡単な説明】
【００６２】
【図１】本発明に係る移動通信端末と移動通信網との接続を説明するためのブロック図である。
【図２】本発明に係る移動通信端末の構成を説明するためのブロック図である。
【図３】本発明に係る移動通信端末の共通モジュールの構成を説明するためのブロック図である。
【図４】本発明に係る非同期移動通信網と同期移動通信網の領域に係る移動通信端末のハンドオーバを説明するための説明図である。
【図５】本発明の一実施形態に係る移動通信端末の初期起動にともなう接続過程を説明するためのフローチャートである。
【図６】本発明の一実施形態に係る移動通信端末の非同期通信網から同期通信網へのハンドオーバを説明するための概略的なグラフである。
【図７】図６に係るハンドオーバ過程を説明するためのフローチャートである。
【図８】本発明の他の実施形態に係るハンドオーバ方法を説明するためのフローチャートである。
【図９】図８に示した同期モデム部における通信準備過程の詳細フローチャートである。
【図１】
2008537432.tif 000003
【図２】
2008537432.tif 000004
【図３】
2008537432.tif 000005
【図４】
2008537432.tif 000006
【図５】
2008537432.tif 000007
【図６】
2008537432.tif 000008
【図７】
2008537432.tif 000009
【図８】
2008537432.tif 000010
【図９】
2008537432.tif 000011
【国際調査報告】
2008537432.tif 000012
2008537432.tif 000013
2008537432.tif 000014